(57)【特許請求の範囲】
【請求項１】
床面より所定の高さ位置に固定され被施術者の首部の背面側を受ける凹部が形成されたシャンプーボールに近接した位置に固定された座部基台と、該座部基台に対して前後方向にスライド可能な座部と、前記座部基台に一端が固定されたアームと、該アームの上端に取付けられた上部背凭れと、前記座部と前記アームとの間に弾性的に張設されたテープと、該テープに固定された下部背凭れとより構成し、前記座部を前記座部基台に対してスライドさせても前記上部背凭れと前記シャンプーボールの凹部との距離および角度関係が一定となるようにしたことを特徴とする理美容用椅子。
【請求項２】
床面より所定の高さ位置に固定され被施術者の首部の背面側を受ける凹部が形成されたシャンプーボールに近接した位置に固定された座部基台と、該座部基台に対して前後方向にスライド可能で座部と、前記座部基台に一端が固定されたアームと、該アームの上端に取付けられた上部背凭れと、前記アームの上端と前記座部との間に取付けられ前記座部の前後動により前後方向に変位するリンク機構と、該リンク機構に取付けられた下部背凭れと、前記リンク機構の変位を阻止するロック機構とより構成し、前記座部を前記座部基台に対してスライドさせても前記上部背凭れと前記シャンプーボールの凹部との距離および角度関係が一定となり、かつ、前記ロック機構によって前記下部背凭れの移動をロックすることで座部の移動を阻止するようにしたことを特徴とする理美容用椅子。
【発明の詳細な説明】
【０００１】
【発明の属する技術分野】
本発明は理美容院における整髪や洗髪、特に、バックシャンプーと呼ばれる被施術者の首部をシャンプーボールの縁に乗せた仰向け状態で、洗髪を行うのに適した理美容用椅子に関する。
【０００２】
【従来の技術】
従来、例えば、バックシャンプーを行う場合において、理美容椅子の背凭れを伏倒して被施術者を仰向けにして首部をシャンプーボールの縁に乗せてシャンプーを行うが、被施術者の身長差によってシャンプーボールに対する首部の位置が変化するため、被施術者が低身長の場合は理美容椅子から擦り上がり、また、高身長の場合には理美容椅子から擦り下がることによって首部がシャンプーボールの縁部分に位置するように調整していたので、被施術者に負担を与えていた。
【０００３】
そこで、近年、低身長から高身長まで身長差に関係なくシャンプーユニット側で自動的に首部がシャンプーボールの縁部に位置するようにしたシャンプーユニットが開発されている。例えば、シャンプーボールを上下動させ、あるいは、シャンプーボールをチルトさせて首部を受ける縁部を上下させて首部の位置と一致させるもの、また、理美容椅子を前後方向にスライドさせて縁部と首部とを一致させるもの等がある。
【０００４】
【発明が解決しようとする課題】
ところで、前記したシャンプーボールを上下動させるものにあっては、被施術者の身長を優先した作業高さとなるため、被施術者が高身長で施術者が低身長の場合、あるいは、逆に被施術者が低身長で施術者が高身長の場合に作業姿勢が合わず作業がし難くなり施術者に負担をかけることとなる。
【０００５】
また、シャンプーボールをチルトさせるものにあっては、被施術者の身長によって顔の角度が変化し、また、理美容椅子を前後動させるものにあっては、被施術者の身長によってシャンプーボールへの進入角が変化して、前記したと同様に作業がし難くなり施術者に負担をかけるといった問題があった。
【０００６】
本発明は前記した問題点を解決せんとするもので、その目的とするところは、被施術者の身長差を吸収するにあたり、施術者の姿勢を一定に保って施術者の作業を行い易くし、かつ、被施術者に無理な姿勢をとらせることなく快適な施術が受けられるようにした理美容用椅子を提供せんとするにある。
【０００７】
【課題を解決するための手段】
本発明の理美容用椅子は前記した目的を達成せんとするもので、請求項１の手段は、床面より所定の高さ位置に固定され被施術者の首部の背面側を受ける凹部が形成されたシャンプーボールに近接した位置に固定された座部基台と、該座部基台に対して前後方向にスライド可能な座部と、前記座部基台に一端が固定されたアームと、該アームの上端に取付けられた上部背凭れと、前記座部と前記アームとの間に弾性的に張設されたテープと、該テープに固定された下部背凭れとより構成し、前記座部を前記座部基台に対してスライドさせても前記上部背凭れと前記シャンプーボールの凹部との距離および角度関係が一定となるようにしたことを特徴とする。
【０００８】
請求項２の手段は、床面より所定の高さ位置に固定され被施術者の首部の背面側を受ける凹部が形成されたシャンプーボールに近接した位置に固定された座部基台と、該座部基台に対して前後方向にスライド可能で座部と、前記座部基台に一端が固定されたアームと、該アームの上端に取付けられた上部背凭れと、前記アームの上端と前記座部との間に取付けられ前記座部の前後動により前後方向に変位するリンク機構と、該リンク機構に取付けられた下部背凭れと、前記リンク機構の変位を阻止するロック機構とより構成し、前記座部を前記座部基台に対してスライドさせても前記上部背凭れと前記シャンプーボールの凹部との距離および角度関係が一定となり、かつ、前記ロック機構によって前記下部背凭れの移動をロックすることで座部の移動を阻止するようにしたことを特徴とする。
【００１４】
【発明の実施の形態】
以下、本発明に係るシャンプーユニットの実施の形態を図面と共に説明する。
【００１５】
先ず、理美容椅子（以下、単に椅子という）の座部を前後方向に移動して被施術者の身長差を吸収する形式の４つの実施の形態を図１〜図８と共に説明する。
【００１６】
図１、図２は第１の実施の形態であって、１はシャンプーボールにして、床に固定された基台１ａの上部に取付けられており、かつ、シャンプーボール１の後述する椅子２と対面する側には、該椅子２に着座した被施術者の首後ろ側を受ける凹部１ｂが形成されている。
【００１７】
２は前記シャンプーボール１における基台１ａの下部から突出したアーム１ｃの先端に座部基台２ａが取付けられた椅子にして、前記座部基台２ａには座部２ｂがローラ２ｃを介して前後動自在に取付けられている。また、前記座部基台２ａの後方には湾曲したアーム２ｄの下端が取付けられ、該アーム２ｄの上部には上部背凭れ２ｅが取付けられている。
【００１８】
また、前記座部２ｂにおける裏面前方の両端には一対のスプリング２ｆの一端が係止され、該スプリング２ｆの他端には幅広で、かつ、比較的柔軟で伸縮し難いテープ２ｇの一端が取付けられ、該テープ２ｇの他端は前記アーム２ｄの上端に固定されている。そして、テープ２ｇの前記上部背凭れ２ｅに近接した位置に下部背凭れ２ｈが取付けられている。なお、３は床に取付けられた足乗せ台であり、４は座部２の下側に取付けられた手摺りである。
【００１９】
次に、前記した第１の実施の形態の動作について説明する。図１は身長の低い被施術者Ａがシャンプーを行うために着座した状態を示し、この状態にあっては、座部２ｂは座部基台２ａの後方に位置した状態で、被施術者Ａの首部はシャンプーボール１の凹部１ｂに無理のない状態で支持されている。また、この状態においてシャンプーボール１の高さは変化していないので、施術者にも無理な姿勢を強いることなくシャンプーが行える。
【００２０】
一方、図２は身長の高い被施術者Ｂが着座した状態を示し、前記図１の状態  で被施術者Ｂが着座した場合には、被施術者Ｂの首部の位置とシャンプーボール１の凹部１ｂとの高さが一致しないので、被施術者Ｂに対して無理な姿勢を強いることとなる。そこで、着座している被施術者Ｂが座部２ｂを前方にずらすことによって首部と凹部１ｂとの高さが一致するので、被施術者Ｂの腰の部分が下部背凭れ２ｈから浮いた状態となる。
【００２１】
しかし、座部２ｂが前方にずらされることによって、スプリング２ｆを介してテープ２ｇが引っ張られるので、下部背凭れ２ｈが斜め上方に移動して被施術者Ｂの腰部分を支える状態となり、被施術者Ｂは楽な姿勢でシャンプーを受けることができると共に、シャンプーボール１の高さは変化しないので施術者も楽にシャンプーが行える。なお、被施術者Ｂが椅子２から降りると、座部２ｂはスプリング２ｆのバネ力によって後方に移動して初期の位置に戻る。
【００２２】
次に、座部を前後方向に移動する図３、図４の第２の実施の形態について説明する。なお、前記した第１の実施の形態と同一符号は同一部材を示し説明は省略する。この実施の形態にあっては、前記下部背凭れ２ｈがテープ２ｇに取付けられていたのに対して、本実施の形態では一端が上部背凭れ２ｅの下端に軸支された背凭れリンク２ｉに取付けられている。
【００２３】
また、背凭れリンク２ｉの他端側には長孔であるガイド孔２ｉ1 が形成され、このガイド孔２ｉ1 には座部２ｂの裏面から延長された延長リンク２ｊの先端に固定されたガイドピン２ｊ1 がガイドされている点で相違するものである。
【００２４】
次に、前記した第２の実施の形態について動作を説明する。図３は身長の低い被施術者Ａが着座した状態を示し、この状態にあっては、座部２ｂは座部基台２ａの後方に位置した状態で、被施術者Ａの首部はシャンプーボール１の凹部１ｂに無理のない状態で支持され、かつ、この状態において、下部背凭れ２ｈは被施術者Ａの腰部に密着しているので、被施術者Ａに疲労感を与えることがない。
【００２５】
一方、図４は身長の高い被施術者Ｂが着座した状態を示し、前記図３の状態で被施術者Ｂが着座した場合には、被施術者Ｂの首部の位置とシャンプーボール１の凹部１ｂとの高さが一致しないので、被施術者Ｂに対して無理な姿勢を強いることとなる。そこで、着座している被施術者Ｂが座部２ｂを前方にずらすことによって首部と凹部１ｂとの高さが一致するが、被施術者Ｂの身体が斜め状態となって腰が下部背凭れ２ｈから浮いた状態となる。
【００２６】
しかし、この状態において、下部背凭れ２ｈによって、延長リンク２ｊの先端に固定されたガイドピン２ｊ1 が背凭れリンク２ｉのガイド孔２ｉ1 を移動した後に、該背凭れリンク２ｉを前方に引っ張ることとなるので、該背凭れリンク２ｉに取付けられている下部背凭れ２ｈは斜め上方に移動して被施術者Ｂの腰部分を支える状態となる。従って、被施術者Ｂは楽な姿勢でシャンプーを受けることができる。
【００２７】
また、シャンプーボール１の高さは変化しないので施術者も楽にシャンプーが行える。なお、被施術者Ｂが椅子２から降りた後は、座部２ｂを後方に押すことによって初期の位置に戻る。
【００２８】
次に、座部を前後方向に移動する図５、図６に示す第３の実施の形態について説明する。なお、前記した２つの実施の形態と同一符号は同一部材を示し説明は省略する。この実施の形態にあっては、上部背凭れ２ｅをシャンプーボール１の基台１ａから斜め前方に突出されたアーム１ｄの先端に取付け、かつ、下部背凭れ２ｈを座部２ｂの後方に突出された回動リンク２ｋに回動自在に取付けると共に、該回動リンク２ｋを常時起立方向に付勢するスプリング２ｆを取付けたものである。
【００２９】
次に、前記した第３の実施の形態について動作を説明する。図５は身長の低い被施術者Ａが着座した状態を示し、この状態にあっては、座部２ｂは座部基台２ａの後方に位置した状態で、被施術者Ａの首部はシャンプーボール１の凹部１ｂに無理のない状態で支持されている。また、この状態において、下部背凭れ２ｈはスプリング２ｆによって起立方向にバネ付勢されているので、被施術者Ａの腰を支えて被施術者Ａに疲労感を与えることがない。
【００３０】
一方、図６は身長の高い被施術者Ｂが着座した状態を示し、前記図５の状態  で被施術者Ｂが着座した場合には、被施術者Ｂの首部の位置とシャンプーボール１の凹部１ｂとの高さが一致しないので、被施術者Ｂに対して無理な姿勢を強いることとなる。
【００３１】
そこで、着座している被施術者Ｂが座部２ｂを前方にずらすことによって首部と凹部１ｂとの高さが一致して頭部の高さは良好となるが、被施術者Ｂの腰の部分が下部背凭れ２ｈから浮いた状態となる。しかし、下部背凭れ２ｈはスプリング２ｆによって常時起立方向にバネ付勢されているので、該下部背凭れ２ｈは被施術者Ｂの腰部に位置して腰部分を支える状態となる。従って、被施術者Ｂは楽な姿勢でシャンプーを受けることができる。
【００３２】
また、シャンプーボール１の高さは変化しないので施術者も楽にシャンプーが行える。なお、被施術者Ｂが椅子２から降りた後は、座部２ｂを後方に押すことによって初期の位置に戻る。
【００３３】
次に、座部を前後方向に移動する図７、図８に示す第４の実施の形態について説明する。なお、前記した２つの実施の形態と同一符号は同一部材を示し説明は省略する。この実施の形態にあっては、前記した全ての実施の形態が背凭れを上下２つの背凭れ２ｅ，２ｈとしたのに対して、本実施の形態では１つの背凭れ２ｌとなし、かつ、該背凭れ２ｌを座部２ｂの移動に連動して傾斜角が異なるようにすると共に、シャンプーボール１との高さ調整も可能としたものである。
【００３４】
すなわち、背凭れ２ｌは、座部２ｂに一端が軸支されたリンク２ｎ1 、座部基台２ａに一端が固定されたハンドルを回転することにより長さ調整が可能なスライド部材２ｎ2 およびリンク２ｎ1 の上端と軸支され、かつ、スライド部材２ｎ2 の伸長側に固定された背凭れ支持板２ｎ3 からなるリンク機構２ｎに取付けられている。なお、背凭れ２ｌは背凭れ支持板２ｎ3 に対して回転自在に軸支されている。
【００３５】
また、座部基台２ａと座部２ｂとの間にはエアシリンダ２ｍが介在されており、座部基台２ａに対して座部２ｂが緩やかに前後進するように構成され、さらに、座部基台２ａと座部２ｂとの間には巻きバネ２ｏが張設されており、座部２ｂを常時後退位置である初期状態となるように構成されている。
【００３６】
次に、前記した第４の実施の形態について動作を説明する。図７は身長の低い被施術者Ａが着座した状態を示し、この状態にあっては、座部２ｂは座部基台２ａの後方に位置した状態で、被施術者Ａの首部はシャンプーボール１の凹部１ｂに無理のない状態で支持されている。また、この状態において、背凭れ２ｌはリンク部材２ｎによって起立状態となっているので、被施術者Ａの腰を支えて被施術者Ａに疲労感を与えることがない。
【００３７】
一方、図８は身長の高い被施術者Ｂが着座した状態を示し、前記図５の状態で被施術者Ｂが着座した場合には、被施術者Ｂの首部の位置とシャンプーボール１の凹部１ｂとの高さが一致しないので、被施術者Ｂに対して無理な姿勢を強いることとなる。
【００３８】
そこで、着座している被施術者Ｂが座部２ｂをエアシリンダ２ｍおよび巻きバネ２ｏに抗して前方にずらすことによって首部と凹部１ｂとの高さが一致して頭部の高さは良好となるが、被施術者Ｂの腰の部分が背凭れ２ｌから浮いた状態となる。しかし、背凭れ２ｌはリンク部材２ｎによって傾斜状態が強くなるので、該背凭れ２ｌは被施術者Ｂの腰部に位置して腰部分を支える状態となる。従って、被施術者Ｂは楽な姿勢でシャンプーを受けることができる。
【００３９】
また、スライド部材２ｎ2 のハンドルを回転し、長さを調整することにより背凭れ２ｌの傾斜角度を調整することができるので、該背凭れ２ｌとシャンプーボール１の位置の関係を調整して、被施術者Ａ，Ｂの背部が撓るのを調整することができる。なお、被施術者Ｂが椅子２から降りた後は、座部２ｂは巻きバネ２ｏによって初期の位置に戻るが、この戻り速度はエアシリンダ２ｍによってゆっくりと戻ることとなる。
【００４０】
以上の実施の形態は座部２ｂを前後動させることによって身長差を吸収する場合であるが、次に、座部を上下方向にチルトさせることによって身長差を吸収する実施の形態を図９、図１０と共に説明する。なお、前記した実施の形態と同一符号は同一部材を示し説明は省略する。
【００４１】
第５の実施の実施の形態において、背凭れ２ｌはシャンプーボール１の近傍に固定された支柱５より突出した突起部５ａに回転自在に軸支され、まか、支柱５の上端には油圧シリンダ等のアクチュエータ６の一端が軸支されている。
【００４２】
座部２ｂはフレーム７に対してチルト機構８を介して取付けられている。このチルト機構８は、前記フレーム７の前方に軸支された第１のリンク８ａと、フレーム７の後方に軸支された第２のリンク８ｂと、前記第１のリンク８ａの自由端側に軸支された座部２ｂの裏面中央から垂下された垂下アーム８ｃと、前記第２のリンク８ｂの自由端側に軸支さた前記アーム８ｃの中央から後方に向かって伸びる水平アーム８ｄと、該水平アーム８ｄと座部２ｂの後端とを連結する補助アーム８ｅとから構成さている。なお、前記アクチュエータ６のシリンダ側は前記補助アーム８ｅに接続されている。
【００４３】
次に、前記した第５の実施の形態について動作を説明する。図９は身長の低い被施術者Ａが着座した状態を示し、この状態にあっては、座部２ｂはアクチュエータ６が収縮した状態にあり、チルト機構８は上昇位置にある。この状態では座部２ｂは略水平状態で被施術者Ａの首部がシャンプーボール１の凹部１ｂに無理なく位置しており、かつ、背凭れ２ｌは回動自在であることから被施術者Ａの背部に沿った状態となっており、被施術者Ａの背中を支えて被施術者Ａに疲労感を与えることがない。
【００４４】
一方、図１０は身長の高い被施術者Ｂが着座した状態を示し、前記図９の状態で被施術者Ｂが着座した場合には、被施術者Ｂの首部の位置とシャンプーボール１の凹部１ｂとの高さが一致しないので、アクチュエータ６を伸長させて座部２ｂを下降させると共に下降させて首部がシャンプーボール１の凹部１ｂと一致するように調整する。
【００４５】
すなわち、アクチュエータ６を伸長させると、チルト機構８によって下降を開始すると共に後方に傾斜（チルト状態）するので、被施術者Ｂの首部とシャンプーボール１の凹部１ｂとの高さが一致する。また、この状態において、背凭れ２ｌは突起部５ａを始点として僅かに回動するのみであることから、背凭れ２ｌは被施術者Ｂの背中に位置して背中全体を支える状態となる。
【００４６】
従って、被施術者Ｂは楽な姿勢でシャンプーを受けることができる。なお、被施術者Ｂが椅子２から降りた後は、アクチュエータ６を収縮することによって、チルト機構８によって図９の状態に戻って初期の状態となる。
【００４７】
前記した実施の形態は座部２ｂを前後動させることによって身長差を吸収するもの、あるいは、座部を上下方向にチルトさせることによって身長差を吸収するものについて説明したが、次に、座部２ｂを前後動させると共に座部２ｂを前進した時に座部２ｂの前方を斜め上方に押し上げることによって身長差を吸収する実施の形態を図１１、図１２と共に説明する。なお、前記した実施の形態と同一符号は同一部材を示し説明は省略する。
【００４８】
第６の実施の形態において、フレーム７は椅子の形状に形成され、該フレーム７の背部上端には上部背凭れ２ｅが回動自在に取付けられると共に、該上部背凭れ２ｅは図示しない巻きバネによって常時上端側が前方に傾斜するようにバネ付勢されている。
【００４９】
また、フレーム７の背部両側には下部背凭れ２ｈの左右に取付けられたガイドバーを摺動自在にガイドする背凭れガイド９が取付けられ、また、フレーム７の前部両側には座部２ｂの左右に取付けられたガイドバーを摺動自在にガイドする座部ガイド１０が取付けられている。さらに、下部背凭れ２ｈと座部２ｂとの連結部分には、リンク１１の一端が軸支され、該リンク１１の他端は手摺り４の略中間部に軸支されている。そして、下部背凭れ２ｈの上端とフレーム７の下部との間には油圧シリンダ等のアクチュエータ６が取付けられている。
【００５０】
次に、前記した第６の実施の形態について動作を説明する。図１１は身長の低い被施術者Ａが着座した状態を示し、この状態にあっては、アクチュエータ６が伸長した状態にあり、座部２ｂは後方に位置し、かつ、下部背凭れ２ｈは起立状態となっている。この状態において被施術者Ａの首部がシャンプーボール１の凹部１ｂに無理なく位置しており、かつ、上部背凭れ２ｅは巻きバネのバネ力によって被施術者Ａの背部の上方を支えているので、被施術者Ａに疲労感を与えることがない。
【００５１】
一方、図１２は身長の高い被施術者Ｂが着座した状態を示し、前記図１１の状態で被施術者Ｂが着座した場合には、被施術者Ｂの首部の位置とシャンプーボール１の凹部１ｂとの高さが一致しないのでアクチュエータ６を収縮させる。アクチュエータ６が収縮されると下部背凭れ２ｈが背凭れガイド９にガイドされ、かつ、リンク１１の支点位置からして伏倒方向に変位しする。また、下部背凭れ２ｈが伏倒することにより、座部ガイド１０によってガイドされた座部２ｂが前方に移動すると共に座部ガイド１０の位置によって座部２ｂの前方が上昇して、被施術者Ｂの首部がシャンプーボール１の凹部１ｂと一致する。
【００５２】
この状態において、上部背凭れ２ｅは巻きバネのバネ力によって被施術者Ｂの背中上部を支持するので、前記下部背凭れ２ｈとによって被施術者Ｂの背中全体を支える状態となり、被施術者Ｂに疲労感を与えることがなく、被施術者Ｂは楽な姿勢でシャンプーを受けることができる。なお、被施術者Ｂが椅子２から降りた後は、アクチュエータ６を伸長することによって、図１１の状態に戻って初期の状態となる。
【００５３】
次に、第７の実施の形態を図１３、図１４と共に説明する。この実施の形態は座部２ｂを上下方向に移動させながら前後方向に移動させるものであり、その構造は、フレーム７の水平上枠７ａの両端に同じ長さの２本のリンク１２ａ，１２ｂの一端を軸支し、該リンク１２ａ，１２ｂの他端に平行リンク１２ｃを軸支した平行リンク機構１２と、前記平行リンク１２ｃに２本の支持杆１３を介して座部２ｂを取付けると共に、平行リンク１２ｃの後端に油圧シリンダ等のアクチュエータ６の一端を軸支し、該アクチュエータ６の他端をフレーム７に軸支する。
【００５４】
また、座部２ｂの後端には背凭れフレーム１４の下端が軸支され、該背凭れフレーム１４の上端には１つの背凭れ２ｌが軸支されている。さらに、背凭れフレーム１４の下端と座部２ｂの後方裏面との間にはスプリング１５が介在され、背凭れ１ｌが常時前方に傾くように構成されている。
【００５５】
次に、前記した第７の実施の形態について動作を説明する。図１３は身長の低い被施術者Ａが着座した状態を示し、この状態にあっては、アクチュエータ６が伸長した状態にあり、平行リンク機構１２の平行リンク１２ｃが後方に押し出されるためにリンク１２ａ，１２ｂが傾いて平行リンク１２ｃは後方に、かつ、上方に移動する。これにより、座部２ｂは後方で、かつ、上方に移動するので、被施術者Ａの首部はシャンプーボール１の凹部１ｂに無理なく位置する。しかも、この状態において背凭れ２ｌはスプリング１５によって起立方向にバネ付勢されているので、被施術者Ａの背中を支えて被施術者Ａに疲労感を与えることがない。
【００５６】
一方、図１４は身長の高い被施術者Ｂが着座した状態を示し、前記図１３の状態で被施術者Ｂが着座した場合には、被施術者Ｂの首部の位置とシャンプーボール１の凹部１ｂとの高さが一致しないのでアクチュエータ６を収縮させる。アクチュエータ６が収縮されると平行リンク１２ｃが前方に引かれるためにリンク１２ａ，１２ｂが起立して平行リンク１２ｃは前方に、かつ、下方に移動する。これにより、座部２ｂは前方で、かつ、下方に移動するので、被施術者Ｂの首部はシャンプーボール１の凹部１ｂに無理なく位置する。
【００５７】
この状態において、背凭れ２ｌはスプリング１５のバネ力によって被施術者Ｂの背中全体を支持するので、被施術者Ｂに疲労感を与えることがなく、被施術者Ｂは楽な姿勢でシャンプーを受けることができる。なお、被施術者Ｂが椅子２から降りた後は、アクチュエータ６を伸長することによって、図１３の状態に戻って初期の状態となる。
【００５８】
次に、図１５〜図１８の第８の実施の形態について説明する。この実施の形態における理美容用椅子は前記した第２の実施の形態の変形例である。第２の実施の形態にあっては、被施術者の座高の高さの違いにおいて、下部背凭れ２ｈが被施術者の腰部分にフィットするように揺動し、被施術者の首部がシャンプーボール１の凹部１ｂに安定した状態で載置されるが、しかし、座部２ｂが座部基台２ａに対してスライドするために、被施術者は足で踏ん張る等しないとこの安定状態が長時間維持できない。
【００５９】
そこで、この実施の形態にあっては、被施術者の座高の高さに応じて下部背凭れ２ｈが揺動してフィットできるようにすると共に、該下部背凭れ２ｈをフィット位置において固定し、かつ、下部背凭れ２ｈを固定することにより座部２ｂを座部基板２ａに対して固定できるようにしたものである。以下、この実施の形態の詳細を説明する。
【００６０】
本実施の形態にあっては、下部背凭れ２ｈは上部背凭れ２ｅが固定されているアーム２ｄにおける前記上部背凭れ２ｅの下側に回動自在に軸支されたコの字状をした背凭れリンク２ｏに取付けられている。該背凭れリンク２０ｏの折曲片には湾曲したガイド孔２ｏ1 が形成されている。
【００６１】
また、座部２ｂの裏面から下部背凭れ２ｅ側に延長されたコの字状をした延長リンク２ｊは、前記背凭れリンク２ｏの内側に位置し、該延長リンク２ｊと背凭れリンク２ｏの折曲片とには後述するバー２ｐが挿通される孔が形成され、かつ、延長リンク２ｊの一方の折曲片にはナット２ｑが固定されている。
【００６２】
バー２ｐの両端にはハンドル２ｐ1 が形成され、かつ、バー２ｐを前記孔内に挿通した状態において前記ナット２ｑと対向する位置には雄ねじ２ｐ2 が形成されている。また、バー２ｐには段部２ｐ3 が形成され、この段部２ｐ3 は背凭れリンク２ｏの折曲片と対向している。なお、２ｒは前記ナット２ｑに接触した状態でバー２ｐに固定されたゴム等の弾性を有するブレーキであり、また、２ｓは前記段部２ｐ3 の位置において前記背凭れリンク２ｏを挟むようにバー２ｐに取付けられたブレーキシューである。
【００６３】
次に、前記した第８の実施の形態について動作を説明する。図１５は身長の低い被施術者Ａが着座した状態を示し、この状態にあっては、座部２ｂは座部基台２ａの後方に位置した状態で、被施術者Ａの首部はシャンプーボール１の凹部１ｂに無理のない状態で支持される。この状態において、下部背凭れ２ｈを被施術者Ａの腰部に密着させるために、バー２ｐを図１７に示すようにハンドル２ｐ1 を持って回転させ、ナット２ｑに対する雄ねじ２ｐ2 の螺合状態を緩ませる。
【００６４】
この状態において、背凭れリンク２ｏは延長リンク２ｊとの固定状態が開放されることにより回動自在となるので、背凭れリンク２ｏを身長の低い被施術者Ａの腰部に密着するように回動し、密着した状態においてハンドル２ｐ1 を持ってバー２ｐが前記とは逆方向に回動して、雄ねじ２ｐ2 とナット２ｑとの螺合を締め付ける。これにより、バー２ｐの段部２ｐ3 がブレーキシュー２ｒを介して背凭れリンク２ｏを延長リンク２ｊに対して固定状態となるので、図１８に示すように下部背凭れ２ｈは固定状態となる。
【００６５】
このように下部背凭れ２ｈ（背凭れリンク２ｏ）が延長リンク２ｊに固定されると、該延長リンク２ｊは背凭れリンク２ｏを介して、該背凭れリンク２ｏが軸支されているアーム２ｄに固定されたこととなるので、座部２ｂは座部基台２ａに対してスライドが阻止され、従って、被施術者Ａは安定した状態で着座状態が保持され疲労感を覚えることがない。
【００６６】
一方、図１６は身長の高い被施術者Ｂが着座した状態を示し、前記図１５の状態で被施術者Ｂが着座した場合には、被施術者Ｂの首部の位置とシャンプーボール１の凹部１ｂとの高さが一致しないので、被施術者Ｂに対して無理な姿勢を強いることとなる。そこで、着座している被施術者Ｂが座部２ｂを前方にずらすことによって首部と凹部１ｂとの高さが一致するが、被施術者Ｂの身体が斜め状態となって腰が下部背凭れ２ｈから浮いた状態となる。
【００６７】
そこで、前記した身長の低い被施術者Ａの場合と同様に、バー２ｐ回転してナット２ｑに対する雄ねじ２ｐ2 を螺合状態を緩ませる。これにより、背凭れリンク２ｏは延長リンク２ｊとの固定状態が開放されることにより回動自在となるので、背凭れリンク２ｏを身長の高い被施術者Ｂの腰部に密着するように回動し、密着した状態においてハンドル２ｐ1 を持ってバー２ｐを前記とは逆方向に回動して、雄ねじ２ｐ2 とナット２ｑとの螺合を締め付け、背凭れリンク２ｏは延長リンク２ｊに対して固定状態となり下部背凭れ２ｈは固定状態される。
【００６８】
このように背凭れリンク２ｏを延長リンク２ｊに固定すると、該延長リンク２ｊは背凭れリンク２ｏを介してアーム２ｄに固定されるので、座部２ｂは座部基台２ａに対してスライドが阻止され、従って、被施術者Ｂは安定した状態で着座状態が保持され疲労感を覚えることがない。
【００６９】
なお、前記した理美容用椅子の全ての実施の形態においては、被施術者のシャンプーを行う場合について説明したが、本発明の理美容用椅子はシャンプーのみならず整髪を行う場合、すなわち、施術者の身長に合わせて頭部を位置させるような場合にも応用できることはもちろんのことである。
【００７０】
【発明の効果】
本発明は前記したように、座部を前後、チルト、水平上下、変化上下させると共に、背凭れを被施術者の背部に密着するように上下に分割する等したことにより、被施術者の身長差を吸収して首部をシャンプーボールの凹部に一致できて、被施術者に無理な姿勢を強いることなく安楽な状態でシャンプー作業を受けることができ、また、被施術者の首の角度が一定となるので、顔の向きが一定になると共にシャンプーボールの高さが一定であることから、施術者によるシャンプー作業等が行いやすい。
【００７１】
また、座部が座部基台に対してスライドするものにおいて、背凭れを上部と下部の２つに分割し、下部背凭れを被施術者の身長に合わせて腰部に密着させた状態で下部背凭れを固定と、座部が座部基台に対して固定されるので、被施術者は安定した状態で着座状態が保持され疲労感を覚えることがない等の効果を有するものである。
【図面の簡単な説明】
【図１】本発明に係るシャンプーユニットの第１の実施の形態を示し、身長の低い人が着座した状態の側面図である。
【図２】同上の身長の低い人が着座した状態の側面図である。
【図３】第２の実施の形態を示し、身長の低い人が着座した状態の側面図である。
【図４】同上の身長の低い人が着座した状態の側面図である。
【図５】第３の実施の形態を示し、身長の低い人が着座した状態の側面図である。
【図６】同上の身長の低い人が着座した状態の側面図である。
【図７】第４の実施の形態を示し、身長の低い人が着座した状態の側面図である。
【図８】同上の身長の低い人が着座した状態の側面図である。
【図９】第５の実施の形態を示し、身長の低い人が着座した状態の側面図である。
【図１０】同上の身長の低い人が着座した状態の側面図である。
【図１１】第６の実施の形態を示し、身長の低い人が着座した状態の側面図である。
【図１２】同上の身長の低い人が着座した状態の側面図である。
【図１３】第７の実施の形態を示し、身長の低い人が着座した状態の側面図である。
【図１４】同上の身長の低い人が着座した状態の側面図である。
【図１５】第８の実施の形態を示し、身長の低い人が着座した状態の側面図である。
【図１６】同上の身長の低い人が着座した状態の側面図である。
【図１７】下部背凭れをフリーな状態とした断面平面図である。
【図１８】下部背凭れをロックした状態の断面平面図である。
【符号の説明】
１          シャンプーボール
２          椅子
２ａ        座部基台
２ｂ        座部
２ｅ        上部背凭れ
２ｈ        下部背凭れ
２ｊ        延長リンク
２ｌ        背凭れ
２ｎ2       スライド部材
２ｏ        背凭れリンク
２ｐ        バー
２ｐ2       雄ねじ
２ｐ3       段部
２ｑ        ナット
４          手摺り
６          アクチュエータ
７          フレーム
８          チルト機構
１２        平行リンク機構
【図１】
0003805939.tif 000002
【図２】
0003805939.tif 000003
【図３】
0003805939.tif 000004
【図４】
0003805939.tif 000005
【図５】
0003805939.tif 000006
【図６】
0003805939.tif 000007
【図７】
0003805939.tif 000008
【図８】
0003805939.tif 000009
【図９】
0003805939.tif 000010
【図１０】
0003805939.tif 000011
【図１１】
0003805939.tif 000012
【図１２】
0003805939.tif 000013
【図１３】
0003805939.tif 000014
【図１４】
0003805939.tif 000015
【図１５】
0003805939.tif 000016
【図１６】
0003805939.tif 000017
【図１７】
0003805939.tif 000018
【図１８】
0003805939.tif 000019